(57)【要約】【課題】  フィルターの脱着が容易で特殊なフィルターを不要とするフィルター取付具を提供する。【解決手段】  フィルター取付具は、通気口を塞ぐ大きさのシート状のフィルター２１と、通気口を介して対向する位置に取り付けることができる一対の本体１１ａと１１ｃ、及び他の一対の１１ｂと１１ｄと、本体１１ａ〜１１ｄの各々に架け渡すように脱着自在に係止される第１輪ゴム２３及び第２輪ゴム２４とを備えている。これによりフィルター２１の両面は通気口７５の補強部と第１輪ゴム２３と第２輪ゴム２４とによって保持される。そしてフィルター２１を取り替える際には、第１輪ゴム２３及び第２輪ゴム２４の係止を解除すれば、フィルター２１を容易に取り外すことができる。【選択図】      図１
2014206349.tif 000002
【特許請求の範囲】
【請求項１】
室内側の壁面に取り付けられ、平坦面と前記平坦面の中央に形成されると共に内部が補強された筒状の通気口とを有する自然給排気装置に取り付けるためのフィルター取付具であって、
前記通気口を塞ぐ大きさのシート状のフィルターと、
前記平坦面であって、前記通気口を介して対向する位置に取り付けることができる少なくとも一対の本体と、
前記本体の各々に架け渡すように脱着自在に係止され、前記通気口内に配置された前記フィルターの室内側の表面を押さえることができる弾性体とを備えた、フィルター取付具。
【請求項２】
前記弾性体はリング状を有する、請求項１記載のフィルター取付具。
【請求項３】
前記平坦面は正方形形状を有し、前記通気口は円筒形状に形成され、
前記本体の各々は、前記平坦面の対向する四隅に取り付けられる、請求項１又は請求項２記載のフィルター取付具。
【請求項４】
前記本体の各々は、
前記平坦面に固定される平板部と、
前記平板部に一体的に接続され、その先端が前記弾性体を係止できるようにフック状に形成されると共に、前記通気口内に臨むように前記平板部の平面から前記通気口側に傾斜する係止部とを含む、請求項１から請求項３のいずれかに記載のフィルター取付具。
【請求項５】
前記自然給排気装置には前記通気口の通気方向に移動自在の開閉蓋が設けられ、
前記本体の各々は、閉状態の前記開閉蓋に接触しないように構成される、請求項１から請求項４のいずれかに記載のフィルター取付具。
【発明の詳細な説明】
【技術分野】
【０００１】
この発明はフィルター取付具に関し、特に平坦面と平坦面の中央に形成されると共に内部が補強された筒状の通気口とを有する自然給排気装置に取り付けるためのフィルター取付具に関するものである。
【背景技術】
【０００２】
住宅における壁面等に取り付けられ、室内の空気の入れ替えを行う自然給排気装置が提供されている。
【０００３】
図９は、従来の自然給排気装置の外観形状を概略的に示した正面図である。
【０００４】
図を参照して、自然給排気装置６１は、主として、装置本体６５と、図示しない開閉蓋とから構成されている。装置本体６５は、正方形形状を有する平坦面７１と、その外周端部を取り囲む縁部７４と、平坦面７１の中央に形成された図示しない円筒形状の通気口とを備えている。そして平坦面７１の中央には、通気口を塞ぐ大きさのフィルター８１が脱着自在に取り付けられている。尚、開閉蓋及び通気口については後述する。
【０００５】
図１０は、図９に示した自然給排気装置において、フィルターを取り外した後の装置本体及びフィルターのそれぞれの外観形状を概略的に示した正面図であって、図１１は、図１０に示した装置本体の外観形状を概略的に示した斜視図である。
【０００６】
これらの図を参照して、通気口７５は円筒形状に形成されており、その内部は補強部７７によって補強されている。又、補強部７７の中央には、図示しない開閉蓋の中央に設けられた突起部に係合すると共に開閉蓋を通気口７５の通気方向に移動自在にするスライド部７８が設けられている。
【０００７】
そして通気口７５の内壁７６には、内壁７６の一部が通気口７５へと突出することで形成されたストッパー７９が、補強部７７よりも室内側の、通気口７５を介して対向する位置４箇所に配置されている。又、各々のストッパー７９の間には、平坦面７１の一部が通気口７５側へ向かって凹むことで形成された取付部７２が４箇所に形成されている。更に、平坦面７１の外周端部上にはリング状の緩衝材７３が取り付けられている。
【０００８】
一方、フィルター８１は、不織布８２と保持部８３とから構成されている。保持部８３は、リング状の外枠部８６と、外枠部８６の内方に配置された開口枠部８７と、開口枠部８７から外枠部８６へ向かって放射状に延びる連結部８８と、連結部８８に対応する外枠部８６に突出状態に形成されている突出部８９とを備えており、不織布８２は、開口枠部８７の内方が開口するようにして、外枠部８６、開口枠部８７、及び連結部８８のそれぞれの一方面側に貼着されている。これによりフィルター８１の中央はフィルター８１を装置本体６５に取り付けた際にスライド部７８が貫通するよう構成されている。
【０００９】
図１２は、図９に示したＸＩＩ−ＸＩＩラインの拡大断面図であり、図１３は、図９に示したＸＩＩＩ−ＸＩＩＩラインの拡大断面図である。
【００１０】
これらの図を参照して、フィルター８１は、外枠部８６がストッパー７９に当接すると共に、連結部８８が補強部７７に当接した状態で取り付けられる。その際、突出部８９は取付部７２の上に配置されると共に、突出部８９表面と平坦面７１とは同一平面上にある。
【００１１】
図１４は図９に示した自然給排気装置が壁面に取り付けられたときの、自然給排気装置の外観形状を概略的に示した斜視図であり、図１５は、図１４に示したＸＶ−ＸＶラインの断面図である。
【００１２】
これらの図を参照して、自然給排気装置６１は、装置本体６５が室内側の壁面６３に取り付けられ、スライド部７８に開閉蓋６６の突起部６７が係合された状態で設置される。このとき、通気口７５は壁面６３を貫通するパイプ６４の内方に嵌合された状態にある。
【００１３】
そして自然給排気装置６１の不使用時には、図１４及び図１５においてそれぞれ（１）に示したように、開閉蓋６６は、緩衝材７３を介して平坦面７１と接触している。
【００１４】
一方、自然給排気装置６１の使用時には、図１４及び図１５においてそれぞれ（２）に示したように、開閉蓋６６を通気口７５の通気方向に移動させた状態で保持することにより、通気口７５を介した空気の出入りが可能となる。そして外気が室内側に流れ込むときには、フィルター８１の不織布８２によって外気に含まれている花粉等の粉塵は除去されるので、室内側には新鮮な空気を取り入れることができる。
【発明の概要】
【発明が解決しようとする課題】
【００１５】
ところで自然給排気装置６１（図１５参照）の使用を継続すると、粉塵によってフィルター８１の不織布８２が汚れることがある。このような場合、フィルター８１の不織布８２だけを取り替えることはできず、フィルター８１全体を新品のものと交換しなければならない。しかしながら従来の自然給排気装置６１にあっては、フィルター８１は、その保持部８３の形状が取付部７２の形状に適合した特殊なフィルターでなければならないため、汎用性に欠ける。又、こうした保持部８３を備えたフィルター８１はコストが高いことが一般的であるが、不織布８２が汚れる度にフィルター８１全体を交換しなければならないことを考慮すれば経済的とは言えない。
【００１６】
この発明は上記のような課題を解決するためになされたもので、特殊なフィルターを不要とし、どのような自然給排気装置に対しても容易に取り付けられるフィルター取付具を提供することを目的とする。
【課題を解決するための手段】
【００１７】
上記の目的を達成するために、請求項１記載の発明は、室内側の壁面に取り付けられ、平坦面と平坦面の中央に形成されると共に内部が補強された筒状の通気口とを有する自然給排気装置に取り付けるためのフィルター取付具であって、通気口を塞ぐ大きさのシート状のフィルターと、平坦面であって、通気口を介して対向する位置に取り付けることができる少なくとも一対の本体と、本体の各々に架け渡すように脱着自在に係止され、通気口内に配置されたフィルターの室内側の表面を押さえることができる弾性体とを備えたものである。
【００１８】
このように構成すると、フィルターは通気口の補強部分と弾性体とによって保持される。
【００１９】
請求項２記載の発明は、請求項１記載の発明の構成において、弾性体は、リング状を有するものである。
【００２０】
このように構成すると、フィルターを保持するパターンが広がる。
【００２１】
請求項３記載の発明は、請求項１又は請求項２記載の発明の構成において、平坦面は正方形形状を有し、通気口は円筒形状に形成され、本体の各々は、平坦面の対向する四隅に取り付けられるものである。
【００２２】
このように構成すると、本体の取付場所が広くなる。
【００２３】
請求項４記載の発明は、請求項１から請求項３のいずれかに記載の発明の構成において、本体の各々は、平坦面に固定される平板部と、平板部に一体的に接続され、その先端が弾性体を係止できるようにフック状に形成されると共に、通気口内に臨むように平板部の平面から通気口側に傾斜する係止部とを含むものである。
【００２４】
このように構成すると、係止部は平板部より室内側に突出しない。
【００２５】
請求項５記載の発明は、請求項１から請求項４のいずれかに記載の発明の構成において、自然給排気装置には通気口の通気方向に移動自在の開閉蓋が設けられ、本体の各々は、閉状態の開閉蓋に接触しないように構成されるものである。
【００２６】
このように構成すると、開閉蓋の開閉を邪魔しない。
【発明の効果】
【００２７】
以上説明したように、請求項１記載の発明は、フィルターは通気口の補強部分と弾性体とによって保持されるため、フィルターの脱着が容易で特殊なフィルターを不要とする。
【００２８】
請求項２記載の発明は、請求項１記載の発明の効果に加えて、フィルターを保持するパターンが広がるため、使用状況等によってパターンを選択することができ、使用勝手が向上する。
【００２９】
請求項３記載の発明は、請求項１又は請求項２記載の発明の効果に加えて、本体の取付場所が広くなるため、本体の取付が容易でフィルターを安定して弾性体で押さえることが可能となる。
【００３０】
請求項４記載の発明は、請求項１から請求項３のいずれかに記載の発明の効果に加えて、係止部は平板部より室内側に突出しないため、本体の取付の影響が軽減される。
【００３１】
請求項５記載の発明は、請求項１から請求項４のいずれかに記載の発明の効果に加えて、開閉蓋の開閉を邪魔しないため、使用勝手が変わらない。
【図面の簡単な説明】
【００３２】
【図１】この発明の第１の実施の形態によるフィルター取付具を取り付けた後の、自然給排気装置の外観形状を概略的に示した正面図である。
【図２】図１に示した“Ｘ”部分の拡大斜視図である。
【図３】図１に示したＩＩＩ−ＩＩＩラインの拡大断面図である。
【図４】図１に示したＩＶ―ＩＶラインの拡大断面図である。
【図５】この発明の第１の実施の形態によるフィルター取付具の取付過程を説明するための概略工程図の一部である。
【図６】図５に示した工程図に続く、フィルター取付具の取付過程を説明するための概略工程図の他の一部である。
【図７】図６に示した工程図に続く、フィルター取付具の取付過程を説明するための概略工程図の更に他の一部である。
【図８】この発明の第１の実施の形態による、フィルター取付具の第１の変形例及び第２の変形例を示す図である。
【図９】従来の自然給排気装置の外観形状を概略的に示した正面図である。
【図１０】図９に示した自然給排気装置において、フィルターを取り外した後の装置本体及びフィルターのそれぞれの外観形状を概略的に示した正面図である。
【図１１】図１０に示した装置本体の外観形状を概略的に示した斜視図である。
【図１２】図９に示したＸＩＩ−ＸＩＩラインの拡大断面図である。
【図１３】図９に示したＸＩＩＩ−ＸＩＩＩラインの拡大断面図である。
【図１４】図９に示した自然給排気装置が壁面に取り付けられたときの、自然給排気装置の外観形状を概略的に示した斜視図である。
【図１５】図１４に示したＸＶ−ＸＶラインの断面図である。
【発明を実施するための形態】
【００３３】
図１はこの発明の第１の実施の形態によるフィルター取付具を取り付けた後の、自然給排気装置の外観形状を概略的に示した正面図であり、図２は図１に示した“Ｘ”部分の拡大斜視図である。尚、自然給排気装置の構造は従来のものと同様であるので、ここでの説明は繰り返さない。
【００３４】
これらの図を参照して、フィルター取付具８は、一対の本体１１ａ及び１１ｃと、他の一対の本体１１ｂ及び１１ｄと、フィルター２１と、第１輪ゴム２３及び第２輪ゴム２４とを備えている。
【００３５】
本体１１ａ〜１１ｄは、装置本体６５に備えられた正方形形状の平坦面７１の中央に形成された円筒形状の通気口７５（図１０参照）を介して対向する四隅の位置に取り付けられている。
【００３６】
一方、フィルター２１は、通気口７５を塞ぐ大きさのシート状を有しており、通気口７５内に配置されている。尚、ここではフィルター２１は不織布のシートから構成されているものとするが、外気に含まれる粉塵を適切に除去できるのであれば、不織布以外のシートであっても良い。
【００３７】
本体１１ａは、図２に示したように、平坦面７１に両面粘着テープ１６を介して固定される平板部１３ａと、平板部１３ａに一体的に接続された係止部１４ａとから構成されている。そして係止部１４ａの先端は、第１輪ゴム２３を係止できるようにフック状に形成されていると共に、通気口７５内に臨むように平板部１３ａの平面から通気口７５側に傾斜している。その際、本体１１ａの取付の影響が軽減されるよう、係止部１４ａは、平板部１３ａよりも室内側に突出しないように設定されている。尚、その他の本体１１ｂ〜１１ｄについても本体１１ａと同様の構成であるので、それらの説明については省略する。又、本体１１ａ〜１１ｄの各々は、開閉蓋６６（図１４及び図１５参照）の開閉を邪魔することのないよう、閉状態の開閉蓋６６に接触しないように構成されている。そのため、フィルター取付具８を取り付ける前後で自然給排気装置６１の使用勝手が変わることはない。
【００３８】
第１輪ゴム２３は、本体１１ａ、本体１１ｃの各々に、第２輪ゴム２４は、本体１１ｂ、本体１１ｄの各々に、それぞれ架け渡すように脱着自在に係止されている。
【００３９】
図３は図１に示したＩＩＩ−ＩＩＩラインの拡大断面図であり、図４は図１に示したＩＶ−ＩＶラインの拡大断面図である。
【００４０】
これらの図を参照して、装置本体６５にフィルター２１が取り付けられた状態では、図３に示したように、室内側のフィルター２１の表面上に第１輪ゴム２３及び第２輪ゴム２４が配置されている。又、フィルター２１の外縁の表面はストッパー７９とも当接している。一方、室内側とは反対側のフィルター２１の表面は、図４に示したように補強部７７と当接している。これによりフィルター２１はその両面が補強部７７と第１輪ゴム２３及び第２輪ゴム２４とによって保持されている。
【００４１】
図５から図７は、図１に示したフィルター取付具の取付過程を説明するための概略工程図の一部である。
【００４２】
これらの図を参照して、まず図５に示されているように、装置本体６５から図示しない開閉蓋６６（図１４及び図１５参照）を取り外してから、平坦面７１の所定位置に本体１１ａ〜１１ｄを取り付ける。ここで、平坦面７１は正方形形状を有し、通気口７５は円筒形状に形成されていることで本体１１ａ〜１１ｄの取付場所は広く設けられているため、本体１１ａ〜１１ｄを容易に取り付けることができる。
【００４３】
次に、図６に示されているように、フィルター２１表面からスライド部７８が突出するようにしてフィルター２１を所定位置に設置する。その際、フィルター２１として、中央にスライド部７８に対応した図示しない切り込みが予め入れられたフィルターを用いると、フィルター２１を容易に設置することができる。
【００４４】
それから、図７に示されているように本体１１ａ、本体１１ｃのそれぞれの係止部１４ａ、１４ｃに第１輪ゴム２３を係止させると共に、本体１１ｂ、本体１１ｄのそれぞれの係止部１４ｂ、１４ｄに第２輪ゴム２４を係止させる。
【００４５】
最後に装置本体６５に開閉蓋６６をスライド部７８を介して取り付ければ、自然給排気装置６１として使用することができる。そしてフィルター２１が汚れた際には、第１輪ゴム２３及び第２輪ゴム２４の係止を解除するだけで、フィルター２１を容易に取り外して新しいそれと取り替えることができる。又、フィルター２１は単純なシート状の不織布から構成されているため、特殊なフィルターを必要としない。
【００４６】
図８はこの発明の第１の実施の形態による、フィルター取付具の第１の変形例及び第２の変形例を示す図である。
【００４７】
まず図８の（１）を参照して、第１の変形例では、第１輪ゴム２３は、スライド部７８を跨ぐように本体１１ａ、１１ｂ、１１ｃのそれぞれの係止部１４ａ、１４ｂ、１４ｃに係止されている。一方、第２輪ゴム２４は、スライド部７８を跨ぐように本体１１ａ、１１ｃ、１１ｄのそれぞれの係止部１４ａ、１４ｃ、１４ｄに係止されている。このようにして第１輪ゴム２３及び第２輪ゴム２４を係止させると、図７の使用例に比べてより外側の位置でフィルター２１を安定して押さえることができる。
【００４８】
次に図８の（２）を参照して、第２の変形例では、同図（１）に示した第１の変形例に加えて、更に第３輪ゴム２５と第４輪ゴム２６とを使用している。そして同図（１）の状態から更に、第３輪ゴム２５をスライド部７８を跨ぐように本体１１ｂ、１１ｃ、１１ｄのそれぞれの係止部１４ｂ、１４ｃ、１４ｄに係止させると共に、第４輪ゴム２６をスライド部７８を跨ぐように本体１１ａ、１１ｂ、１１ｄのそれぞれの係止部１４ａ、１４ｂ、１４ｄに係止させている。このように輪ゴムの数を増やすことで、輪ゴムによって押さえられるフィルター２１の表面積が増加するため、フィルター２１をより安定した状態で押さえることができる。又、リング状の弾性体である輪ゴムを使用することで、フィルターを保持するパターンが広がるため、使用状況等によってパターンを選択することができ、使用勝手が向上する。
【００４９】
尚、上記の実施の形態では、弾性体として輪ゴムを使用しているが、これに代えて他の材料からなる弾性体を使用しても同様の効果を奏する。
【００５０】
又、上記の実施の形態では、弾性体はリング状を有しているが、弾性体は、その両端部を本体に係止させることができる形状を有していれば、帯状も含めどのような形状であっても良い。その場合、形状に応じて弾性体の中央にスライド部に対応した開口を形成しても良い。
【００５１】
更に、上記の実施の形態では、フィルター取付具は４つの本体を備えると共に、それぞれが平坦面の対向する四隅に取り付けられているが、本体は、通気口を介して対向する位置に取り付けることができれば良く、従って少なくとも一対の本体を備えていれば良い。
【００５２】
更に、上記の実施の形態では、平坦面は正方形形状を有し、通気口は円筒形状に形成されているが、これらは他の形状であっても同様に適用できる。
【００５３】
更に、上記の実施の形態では、自然給排気装置には開閉蓋が設けられているが、開閉蓋が設けられていない自然給排気装置に対しても同様に適用できる。
【００５４】
更に、上記の実施の形態では、２本又は４本の輪ゴムを使用しているが、輪ゴム、即ち弾性体の数はそれ以外であっても良い。
【００５５】
更に、上記の実施の形態では、自然給排気装置の装置本体は、縁部と、平坦面上に取り付けられた緩衝材とを備えているが、これらのない自然給排気装置の構造に対しても同様に適用できることは言うまでもない。
【００５６】
更に、上記の実施の形態では、本体は特定形状に構成されているが、弾性体を係止できると共に、平坦面に取り付けられる形状であれば、どのような形状でも良い。
【符号の説明】
【００５７】
８…フィルター取付具
１１ａ〜１１ｄ…本体
１３ａ…平板部
１４ａ〜１４ｄ…係止部
２１…フィルター
２３…第１輪ゴム
２４…第２輪ゴム
２５…第３輪ゴム
２６…第４輪ゴム
６１…自然給排気装置
６３…壁面
６６…開閉蓋
尚、各図中同一符号は同一又は相当部分を示す。
【図１】
2014206349.tif 000003
【図２】
2014206349.tif 000004
【図３】
2014206349.tif 000005
【図４】
2014206349.tif 000006
【図５】
2014206349.tif 000007
【図６】
2014206349.tif 000008
【図７】
2014206349.tif 000009
【図８】
2014206349.tif 000010
【図９】
2014206349.tif 000011
【図１０】
2014206349.tif 000012
【図１１】
2014206349.tif 000013
【図１２】
2014206349.tif 000014
【図１３】
2014206349.tif 000015
【図１４】
2014206349.tif 000016
【図１５】
2014206349.tif 000017